【手続補正書】
【提出日】平成15年3月17日(2003.3.17)
【手続補正１】
【補正対象書類名】明細書
【補正対象項目名】特許請求の範囲
【補正方法】変更
【補正の内容】
【特許請求の範囲】
【請求項１】
被覆装置であって、
中心軸線の回りに回転するように取り付けられた主ラック組立体と、
主ラック組立体の近くに置かれた噴霧被覆機構と、
主ラック組立体に搭載され、周方向に間隔を開け該中心軸線に平行な複数の副組立体軸線の回りに回転するように取り付けられた複数のラック副組立体と、
それぞれの該副組立体軸線に沿って間隔をあけて各ラック副組立体に設けられた複数の部品保持機構と、
該主ラックを該中心軸線の回りに回転させ、同時に該ラック副組立体のそれぞれをそれぞれの副組立体軸線の回りに回転させる駆動手段とを備えた
被覆装置。
【請求項２】
請求項１記載の被覆装置であって、
前記主ラック組立体が、前記中心軸線の回りに回動自在に取り付けられた中央垂直軸と、該軸の上端の近くで該軸に固定された上部支持構造体と、該軸の下端の近くで該軸に固定された下部支持構造体とを備え、
各ラック副組立体が、上端で該上部支持構造体に軸支され、下端で該下部支持構造体に軸支され、該上下端間に前記複数の部品保持機構が取り付けられた垂直な部品支持構造体を含む
被覆装置。
【請求項３】
請求項２記載の被覆装置であって、
前記駆動手段が、前記垂直軸を前記中心軸線の回りに回転させる一次駆動手段と、
前記垂直な部品支持構造体を前記副組立体の軸線の回りに回転させる二次駆動手段とを含む
被覆装置。
【請求項４】
請求項３記載の被覆装置であって、
前記二次駆動手段は、前記垂直軸の回転を介して前記一次駆動手段によって駆動される
被覆装置。
【請求項５】
請求項４記載の被覆装置であって、
前記二次駆動手段は、
前記中心軸に軸支された太陽歯車と、
前記中心軸の回転にかかわらず前記中心軸線回りの前記太陽歯車の回転を妨げるロック機構と、
各副組立体軸線上に取り付けられ、前記垂直な部品支持構造体と係合し、且つ該太陽歯車と噛み合う遊星歯車とを含む
被覆装置。
【請求項６】
請求項１記載の被覆装置であって、
該被覆装置は、被覆適用場所への経路に沿って移動可能な往復台と、該被覆適用場所に設けられ往復台を該被覆適用場所に停止させる手段とを更に含み、
前記主ラックは、該往復台に前記中心軸線の回りに回転可能に取り付けられ、
前記駆動手段は、前記被覆適用場所に、前記主ラックと係合し且つ該主ラックを前記中心軸線の回りに回転させ、且つ前記複数のラック副組立体を各副組立体軸線の回りに回転させる動力装置を含む
被覆装置。
【請求項７】
請求項６記載の被覆装置であって、
前記主ラックは、前記中心軸線の回りに回転する中心軸を備え、
前記動力装置は、駆動輪を含み、
前記駆動手段は、該中心軸に固定され該駆動輪に係合可能な従動輪と、
該中心軸に軸支された太陽歯車と、
該中心軸の回転にかかわらず前記中心軸線回りの該太陽歯車の回転を妨げるロック機構と、
各副組立体軸線上に取り付けられ、前記ラック副組立体と係合し、且つ該太陽歯車と噛み合う遊星歯車とを更に含む
被覆装置。
【請求項８】
請求項７記載の被覆装置であって、
前記中心軸線が垂直軸線であり、
前記主ラック組立体と該主ラック組立体に搭載された複数の前記ラック副組立体が前記往復台の上方に位置する
被覆装置。
【請求項９】
塗装装置であって、
中心垂直軸線の回りに回転する中心垂直軸と、該軸の上端に固定された上部支持構造体と、該上部支持構造体より下で該軸に固定された下部支持構造体とを含む主ラック組立体と、
主ラック組立体の近くに置かれた塗料噴霧装置と、
周方向に間隔をあけて且つ該中心軸線に平行に設けられた複数の副組立体軸線の回りに回転可能に取り付けられ、それぞれが、前記副組立体軸線上の前記上部支持構造体に軸支された上部旋回軸構造体と、該副組立体軸線上の前記下部支持構造体に軸支された下部旋回軸構造体と、該上部旋回軸構造体と該下部旋回軸構造体との間を垂直に伸びた部品支持棒と、該支持棒上に垂直方向に間隔をあけて位置し塗装される部品が着脱可能に取り付けられる複数の部品保持機構とを含む複数のラック副組立体と、
前記軸、前記上部支持構造体、前記下部支持構造体、及び前記ラック副組立体を前記中心軸線の回りに回転させるために前記中心軸に取り付けられ駆動機構と係合する駆動輪と、
複数の前記ラック副組立体をそれらのそれぞれの軸の回りに回転させるために前記中心軸の前記中心軸線の回りの回転に対応して作動する二次駆動機構とを備えた
塗装装置。
【請求項１０】
請求項９記載の塗装装置であって、
前記二次駆動機構は、
前記中心軸に軸支された太陽歯車と、
前記中心軸の回転にかかわらず前記中心軸線回りの前記太陽歯車の回転を妨げるロック機構と、
各副組立体軸線上に取り付けられ、それぞれの前記ラック副組立体の旋回軸構造体と係合し、且つ該太陽歯車と噛み合う遊星歯車とを備えた
塗装装置。
【請求項１１】
請求項１０記載の塗装装置であって、
各副組立体の前記係合する旋回軸構造体は、前記下部旋回軸構造体である
塗装装置。
【請求項１２】
請求項９記載の塗装装置であって、
各部品支持棒は、それぞれのラック副組立体の前記軸線と心違いであり、上端及び下端においてそれぞれクランクアームによって前記上部旋回軸構造体及び前記下部旋回軸構造体に接続されている
塗装装置。
【請求項１３】
塗装装置であって、
経路を定める軌道構造体と、
該経路に沿って間隔をあけて位置する取り付け場所、塗装適用場所、及び取り外し場所と、
該塗装適用場所に置かれた塗料噴霧装置と、
往復台と、
該往復台を該経路に沿って取り付け場所、塗装適用場所、及び取り外し場所の間を移動させる手段と、
該往復台を該塗装適用場所で停止させる手段と、
該塗装適用場所での該往復台の停止に対応して塗装噴霧装置の運転を開始する手段と、
該往復台に中心軸線の回りに回転するように取り付けられた主ラック組立体と、
主ラック組立体に搭載され、周方向に間隔を開け該中心軸線に平行な複数の副組立体軸線の回りに回転するように取り付けられた複数のラック副組立体と、
それぞれの該副組立体軸線に沿って間隔をあけて各ラック副組立体に設けられた複数の部品保持機構と、
該塗装適用場所に設けられた動力装置を含み、該塗装適用場所に停止した該往復台と作用し、該塗料噴霧装置の運転と同時に該主ラックを該中心軸線の回りに回転させ同時に該ラック副組立体のそれぞれをそれぞれの副組立体軸線の回りに回転させる駆動手段とを備えた
塗装装置。
【請求項１４】
請求項１３記載の塗装装置であって、
前記主ラック組立体が、前記中心軸線の回りに回動自在に前記往復台内に取り付けられた中央垂直軸と、該軸の上端の上部支持構造体と、該軸の下端の下部支持構造体とを備え、
各ラック副組立体が、上端で該上部支持構造体に軸支され、下端で該下部支持構造体に軸支され、該上下端間に前記複数の部品保持機構が取り付けられた垂直な部品支持構造体を含む
塗装装置。
【請求項１５】
請求項１４記載の塗装装置であって、
前記駆動手段が、前記垂直軸を前記中心軸線の回りに回転させる、前記塗装適用場所における前記動力装置を含む一次駆動手段と、
前記垂直な部品支持構造体を前記副組立体の軸線の回りに回転させる二次駆動手段とを含む
塗装装置。
【請求項１６】
請求項１５記載の塗装装置であって、
前記二次駆動手段は、前記垂直軸の回転を介して前記一次駆動手段によって駆動される
塗装装置。
【請求項１７】
請求項１６記載の塗装装置であって、
前記動力装置は、駆動輪を含み、
前記一次駆動手段は、前記中心軸に固定され前記塗装適用場所に前記往復台が停止した状態で該駆動輪に係合可能な従動輪を更に含む
塗装装置。
【請求項１８】
請求項１７記載の塗装装置であって、
前記二次駆動手段は、
前記中心軸に軸支された太陽歯車と、
前記中心軸の回転にかかわらず前記中心軸線回りの前記太陽歯車の回転を妨げるロック機構と、
各副組立体軸線上に取り付けられ、前記垂直な部品支持構造体と係合し、且つ該太陽歯車と噛み合う遊星歯車とを含む
塗装装置。
【請求項１９】
請求項１８記載の塗装装置であって、
各部品支持構造体は、
それぞれの前記副組立体軸線上の前記上部支持構造体に軸支された上部旋回軸構造体と、
それぞれの前記副組立体軸線上の前記下部支持構造体に軸支された下部旋回軸構造体と、
該上部支持構造体と該下部支持構造体の間で垂直に伸び複数の前記部品保持機構が垂直に間隔をあけて取り付けられた部品支持棒とを含む
塗装装置。
【請求項２０】
請求項１９記載の塗装装置であって、
各部品支持棒は、それぞれのラック副組立体の前記軸線と心違いであり、上端及び下端においてそれぞれクランクアームによって前記上部旋回軸構造体及び前記下部旋回軸構造体に接続されている
塗装装置。